(57)【特許請求の範囲】
【請求項１】
第１の筐体と第２の筐体とがヒンジ部を軸として回動自在に接続され、上記第１の筐体と上記第２の筐体とを二つ折りに閉じた状態で上記第２の筐体にあって上記第１の筐体に覆われる位置に、文字又は画像を表示する主表示部を設けた携帯電話機において、
上記第１の筐体は、
上記第１の筐体と上記第２の筐体とを二つ折りに閉じた状態で上記主表示部に対向する面上であって上記第１の筐体から露出する露出部に、
文字又は画像を表示する副表示部と、
上記主表示部および上記副表示部に表示される情報を選択するセレクタとを有し、
上記第２の筐体は、
上記第１の筐体と上記第２の筐体とが開いた状態では上記露出部の一部であって上記副表示部を含みかつ上記セレクタを含まない部分と重なり、上記第１の筐体と上記第２の筐体とを二つ折りに閉じた状態では上記露出部のうち上記第１の筐体と上記第２の筐体とが開いた状態で重なった部分以外の部分であって、かつ上記セレクタを含む部分と重なる切り欠き部を有する
ことを特徴とする携帯電話機。
【請求項２】
上記第１の筐体は、
上記露出部にカメラを有し、上記主表示部または上記副表示部は上記カメラが撮影した画像を表示することを特徴とする請求項１に記載の携帯電話機。
【請求項３】
上記第１の筐体と第２の筐体とを開いた場合に、上記第２の筐体の切り欠き部の端部は上記第１の筐体表面であって上記ヒンジ部の軸線上を外れた位置で接触部を有し、
上記第１の筐体は、上記接触部と上記ヒンジ部とにより、上記第２の筐体を支持することを特徴とする請求項１または請求項２に記載の携帯電話機。
【発明の詳細な説明】
【０００１】
【発明の属する技術分野】
この発明は、表示部を有効に活用できる携帯電話機に関する。
【従来の技術】
最近の携帯電話機は、ポケットに入る小型化されたものが好まれ、中でも、携帯時には折り畳んだ状態にすることによりかさばらず、使用時には開いた状態で使用することにより、表示部、ボタン等の大きさを確保でき操作性がよい折り畳み型の携帯電話機が広く普及している。
しかし、折り畳み型の携帯電話機では、折り畳み時には主となる表示部が外側から見えず着信時など必要な情報をすばやく見ることができず不便である。そのため、着信時など折り畳んだ状態でも最小限の情報が見えるように副表示部を筐体の外面に設けた携帯電話機がある。
【０００２】
【発明が解決しようとする課題】
上述のような従来の副表示部を備えた携帯電話機では、折り畳んだ状態で少ない情報を見ることはできるが、開いた状態で使用する場合には、副表示部がセレクタ等の操作部及び主表示部の反対面側に設けられているため、携帯電話機の使用者から副表示部は見えず、副表示部を使用することができない。
【０００３】
本発明は、このような問題を解決し、表示部を有効活用できる携帯電話機を提供することを目的とする。
【０００４】
【課題を解決するための手段】
この発明の携帯電話機は、第１の筐体と第２の筐体とがヒンジ部を軸として回動自在に接続され、上記第１の筐体と上記第２の筐体とを二つ折りに閉じた状態で上記第２の筐体にあって上記第１の筐体に覆われる位置に、文字又は画像を表示する主表示部を設けた携帯電話機において、第１の筐体は、第１の筐体と上記第２の筐体とを二つ折りに閉じた状態で主表示部に対向する面上であって第１の筐体から露出する露出部に、文字又は画像を表示する副表示部と、主表示部および上記副表示部に表示される情報を選択するセレクタとを有し、第２の筐体は、第１の筐体と上記第２の筐体とが開いた状態では露出部の一部であって副表示部を含みかつセレクタを含まない部分と重なり、第１の筐体と第２の筐体とを二つ折りに閉じた状態では露出部のうち第１の筐体と第２の筐体とが開いた状態で重なった部分以外の部分であって、かつセレクタを含む部分と重なる切り欠き部を有することを特徴とするものである。
【０００５】
また、上記第１の筐体は、露出部にカメラを有し、主表示部または副表示部は上記カメラが撮影した画像を表示することを特徴とするものである。
【０００６】
また、上記第１の筐体と第２の筐体とを上記ヒンジ部を軸として開いた場合に、上記第２の筐体を切り欠いた部分の端部は上記第１の筐体表面であって上記ヒンジ部の軸線上を外れた位置で接触部を有し、上記第１の筐体は、上記接触部と上記ヒンジ部とにより、上記第２の筐体を支持することを特徴とするものである。
【０００８】
【発明の実施の形態】
実施の形態１．
図１は、実施の形態１に係る携帯電話機の外観を示す正面図であり、図１(ａ)は二つ折り筐体の上部筐体をヒンジ部を軸として下部筐体に対して開いた状態を示し、図１（ｂ）は上部筐体を閉じた状態を示している。
図１において、１は二つ折り携帯電話機の下部筐体、２は携帯電話機の上部筐体であり、ヒンジ部１０を中心に回動自在に開閉できる構造になっている。ここで、下部筐体２のヒンジ部１０側端は、下部筐体の副表示部７に覆い被さらないように切り欠き部が設けられている。
【０００９】
３は下部筐体１の正面下端に配置され、通話者の音声を電気信号に変換するマイク部、４は上部筐体２の正面上端に配置され、通話相手の音声を出力するスピーカ部、５は下部筐体２に配置され、主表示部６又は副表示部７に表示されるメニュー等を選択するためのセレクタ、６は上部筐体１に配置され、携帯電話内部で生成した文字、グラフィック情報、又はネットワークを介して外部から取得した情報等を表示する主表示部、７はダイヤル時のメニュー、その他の文字情報、グラフィック情報を表示する副表示部、８はカメラ、９は文字を入力するための数字キー部である。
【００１０】
次に、この携帯電話機の動作を図１に基づいて説明する。
図１(ａ)は上部筐体２を開いた状態を示しており、副表示部７はこの状態で下部筐体１の正面部側、すなわち、数字キー部９側の面を向いている。ここで、上部筐体２は、下部筐体１と上部筐体２とをヒンジ部１０を軸として開いた状態で、下部筐体１の露出部１ａと重なる位置に切り欠き部２ａを備える。従って、筐体を開いた状態で使用する場合には、切り欠き部２ａによって、上部筐体２が表示部７を覆い隠さないため、この携帯電話の使用者は、副表示部７を見ながら数字キー部若しくはセレクタ５を操作することができ、インターネットブラウジングやダイヤル操作などを副表示部７を見ながら行うことができる。
【００１１】
また、図１（ａ）を見れば分かるように、上部筐体２は、下部筐体１と上部筐体２とを二つ折りに閉じた状態で下部筐体１と対向する対向面に主表示部を備えているため、携帯電話機の使用者は、主表示部６と副表示部７とを同時に使用することができる。従って、例えば、カメラによって撮影された自分の顔を副表示部７に表示しながら、通話相手から送信された通話相手の顔などの画像を主表示部６に表示するといった使用が可能になる。
【００１２】
一方、図１(ｂ)では、上部筐体２を下部筐体１に対して閉じた状態、すなわち、二つ折りにした状態を示している。このとき、上部筐体２のヒンジ部１０側に設けられた切り欠き部により、上部筐体２が副表示部７を覆い隠さないため、筐体を折りたたんだ状態で副表示部７を使用者に見せることができる。すなわち、下部筐体１と上記上部筐体２とを二つ折りに閉じた状態で上部筐体２の一面と対向する対向面側の下部筐体１上であって、ヒンジ部１０近傍に設けられ二つ折り状態で上部筐体２から露出する露出部１ａに文字又は画像を表示する副表示部７を設けている。
従って、携帯電話の使用者はセレクタ５を用いて、副表示部７に表示される情報を見ながら携帯電話を操作することができる。
【００１３】
以上のように、この実施の形態１の携帯電話では、上部筐体２のヒンジ部側端面に切り欠き部２ａを設けたため、筐体を開いた状態でも閉じた状態でも、携帯電話の使用者は副表示部７を見ることができ、副表示部７を有効活用することができる。
また、切り欠き部２ａは筐体を二つ折りに閉じた状態でセレクタ５を覆わないため、携帯電話の使用者は、セレクタ５を操作することができる。
また、下部筐体１は、露出部１ａに副表示部７に表示される情報を選択するセレクタ５を備え、上部筐体２は、下部筐体１と上部筐体２とをヒンジ部１０を軸として二つ折りに閉じた状態で、セレクタ５に重なる位置に切り欠き部２ａを備えたため、筐体を折り畳んだ状態でも、開いた状態でもセレクタの操作ができるという効果がある。
【００１４】
次に、上部筐体２を支える機構について説明する。
図２はこの実施の形態１の携帯電話機の側面図であり、（ａ）は筐体を開いた状態、（ｂ）は閉じた状態を表わしている。ここで、図１と同一の符号は同一又は相当の部分を表わしている。
図２に示した携帯電話機では、下部筐体１と上部筐体１とをヒンジ部１０を軸として開いた場合に、切り欠き部の端部２ｂは上部筐体１表面であってヒンジ部１０の軸線上を外れた位置１ｂと接触する。このことにより、２点のヒンジ部１０と接触点１ｂによって、上部筐体２は三角形上の支持点で支持され、切り欠き部を設けたことによって生ずるヒンジ部１０周りの強度低下を補うことができる。また、下部筐体１と上部筐体２とは、下部筐体１の露出部１ａ周辺に設けられた接触面と上部筐体２の切り欠き部端部に設けられた接触面とで支えられるため、より強い強度を得ることができる。
【００１５】
実施の形態２．
図３は、この実施の形態２の携帯電話機の外観を示す正面図であり、図３(ａ)は二つ折り筐体の上部筐体をヒンジ部を軸として下部筐体に対して開いた状態を示し、図３（ｂ）は上部筐体を閉じた状態を示している。ここで、図３において、図１と同一の符号は同一又は相当の部分を表わしている。
この実施の形態２では、筐体を閉じたときに副表示部７を覆わないように上部筐体２の切り欠き部２ｃが設けられている。言い換えれば、下部筐体１は、下部筐体１と上部筐体２とを二つ折りに閉じた状態で上部筐体２の一面と対向する対向面側の下部筐体１上であって、ヒンジ部１０の近傍に文字又は画像を表示する副表示部７を備えており、また、上部筐体２は、下部筐体１と上部筐体２とをヒンジ部１０を軸として二つ折りに閉じた状態で、副表示部７と重なる位置に切り欠き部を備えている。
【００１６】
以上のような構成にしても、実施の形態１と同様に、筐体を二つ折りにした状態及び開いた状態の両方で、副表示部７を使用することができるという効果がある。
また、図３の携帯電話機では、セレクタ５は切り欠き部２ｃによって作られる露出部１ａに設けられていないが、実施の形態１と同様にセレクタ５を露出部に設けてもよいし、上部筐体２面上であって主表示部６が設けられている面の反対面上にもう一つセレクタ５を設けるようにして、筐体を折り畳んだ状態でも副表示部７を使用してメニューの選択などをできるようにしてもよい。
【００１７】
実施の形態３．
図４は、この実施の形態３の携帯電話機の外観を示す正面図であり、図４(ａ)は二つ折り筐体の上部筐体をヒンジ部を軸として下部筐体に対して開いた状態を示し、図４（ｂ）は上部筐体を閉じた状態を示している。ここで、図４において、図１と同一の符号は同一又は相当の部分を表わしている。
基本的に、図１の携帯電話機と似ているが、露出部にセレクタ５がなく大きな副表示部７を得ることができる。
【００１８】
なお、以上に説明した実施の形態では、副表示部７をヒンジ部近傍に設けたが、ヒンジ部近傍以外の他の位置に設けてもかまわない。また、ヒンジ部近傍とは、折り畳み筐体の折り畳み軸の近傍であり、副表示部７の一部がヒンジ部１０の回転軸上に重なる場合はもちろん、数字キー部９又はセレクタ５からヒンジ部１０の間に副表示部７の一部がある場合、及び、ヒンジ部１０に対して数字キー部９とは反対側であって、ヒンジ部１０から下部筐体１の端部までの領域に副表示部７の少なくとも一部を含む場合を含んでいる。数字キー部９よりヒンジ部１０側よりに副表示部７がある場合には、数字キー部９又はセレクタ５による操作時に、使用者の手により副表示部７が隠されず、操作性がよいという効果がある。また、上述の実施の形態では、副表示部７が２つのヒンジ部１０をつなぐヒンジ部１０の軸線に沿った投射領域から、下部筐体１の外面上の領域であって上述の投射領域外の領域に跨がるように設けられている。そのため、上述２つのヒンジ部１０間の投射領域内に収納されるように副表示部７を設けた場合に比べ、大きな副表示部７を得ることができるという効果がある。
また、この発明は、二つ折り以上の携帯端末であって表示部と通話機能を有するものであれば、どのような携帯端末にも使用することができる。
【発明の効果】
この発明によれば、筐体を開いた状態でも閉じた状態でも、表示部を有効に利用することができる。
【図面の簡単な説明】
【図１】  この発明の実施の形態１における携帯電話機の正面図である。
【図２】  この発明の実施の形態１における携帯電話機の側面図である。
【図３】  この発明の実施の形態２における携帯電話機の正面図である。
【図４】  この発明の実施の形態３における携帯電話機の正面図である。
【符号の説明】
１  下部筐体、  ２  上部筐体、  ３  マイク部、  ４  スピーカ部、  ５  ６  主表示部、  ７  副表示部、  ８  カメラ、  ９  数字キー部、  １０  ヒンジ部
【図１】
0003906655.tif 000002
【図２】
0003906655.tif 000003
【図３】
0003906655.tif 000004
【図４】
0003906655.tif 000005